(57)【特許請求の範囲】
【請求項１】
表示器（２４）、
セットアップされているスピーカーについてセットアップの設定を行い、セットアップされていないスピーカーについて非セットアップの設定を行うための設定手段、
前記設定に基づき、セットアップされているスピーカー（１２，１３，１４，１６，１７）に対応する図形を前記表示器（２４）における所定位置に表示させるセットアップスピーカー表示手段、及び
オーディオソースからアンプへ入力される入力信号と、セットアップされているスピーカー（１２，１３，１４，１６，１７）との対応がわかるように、前記入力信号を示す記号を前記表示器（２４）における所定位置に表示させる入力信号表示手段、
を有していることを特徴とするサラウンドオーディオ用スピーカーシステム。
【請求項２】
表示器（２４）、
セットアップされているスピーカーについてセットアップの設定を行い、セットアップされていないスピーカーについて非セットアップの設定を行うための設定手段、
前記設定に基づき、セットアップされているスピーカー（１２，１３，１４，１６，１７）に対応する図形を前記表示器（２４）における所定位置に表示させるセットアップスピーカー表示手段、及び
アンプからスピーカー（１２，１３，１４，１６，１７）へ出力される出力信号と、セットアップされているスピーカー（１２，１３，１４，１６，１７）との対応がわかるように、前記出力信号を示す記号を前記表示器（２４）における所定位置に表示させる出力信号表示手段、
を有していることを特徴とするサラウンドオーディオ用スピーカーシステム。
【請求項３】
表示器（２４）、
セットアップされているスピーカーについてセットアップの設定を行い、セットアップされていないスピーカーについて非セットアップの設定を行うための設定手段、
前記設定に基づき、セットアップされているスピーカー（１２，１３，１４，１６，１７）に対応する図形を前記表示器（２４）における所定位置に表示させるセットアップスピーカー表示手段、
オーディオソースからアンプへ入力される入力信号と、セットアップされているスピーカー（１２，１３，１４，１６，１７）との対応がわかるように、前記入力信号を示す記号を前記表示器（２４）における所定位置に表示させる入力信号表示手段、
アンプからスピーカー（１２，１３，１４，１６，１７）へ出力される出力信号と、セットアップされているスピーカー（１２，１３，１４，１６，１７）との対応がわかるように、前記出力信号を示す記号を前記表示器（２４）における所定位置に表示させる出力信号表示手段、及び
前記入力信号表示手段による表示及び前記出力信号表示手段による表示を切替える表示切替手段、
を有していることを特徴とするサラウンドオーディオ用スピーカーシステム。
【請求項４】
前記入力信号表示手段及び前記出力信号表示手段のいずれによる表示になっているかの信号表示モードを知らせる信号表示モード表示手段、を有していることを特徴とする請求項３記載のサラウンドオーディオ用スピーカーシステム。
【請求項５】
前記セットアップスピーカー表示手段によるセットアップスピーカーに対応する図形の表示は、各スピーカー（１２，１３，１４，１６，１７）をブロック（２７，２８，２９，３０，３１）として部屋内の各スピーカー（１２，１３，１４，１６，１７）の実際の配置関係に従って配置した表示であることを特徴とする請求項１〜４のいずれかに記載のサラウンドオーディオ用スピーカーシステム。
【請求項６】
前記入力信号表示手段及び／又は前記出力信号表示手段による記号の表示は、前記表示器（２４）における対応スピーカー（１２，１３，１４，１６，１７）の前記ブロック（２７，２８，２９，３０，３１）内にその記号を表示することにより行われることを特徴とする請求項５記載のサラウンドオーディオ用スピーカーシステム。
【発明の詳細な説明】
【０００１】
【発明の属する技術分野】
この発明は、オーディオのサラウンドモードに対応するサラウンドオーディオ用スピーカーシステムに関するものである。
【０００２】
【従来の技術】
サラウンドオーディオ用スピーカーシステムでは、サラウンドアンプ又はサラウンドレシーバ（レシーバとは、チューナ付きアンプと定義する。本明細書では、レシーバはアンプの下位概念とする。）に、スピーカーを新たに接続したときや、接続を切り離したときは、スピーカーのセットアップを行なって、サラウンドアンプ（サラウンドレシーバも含む。）に現在接続されているスピーカーが何であるかを認識させる設定が必要となる。
【０００３】
これに対して、サラウンドアンプは、各スピーカーに対応するスピーカー対応入力信号をオーディオソースから入力するとともに、各スピーカーに対応するスピーカー対応出力信号を各スピーカーへ出力している。また、サラウンドアンプは、オーディオソースからは所定のスピーカーに対応するスピーカー対応入力信号を入力されなくても、他の入力信号に基づいて該所定のスピーカーに対応する出力信号を生成して出力することがある。
【０００４】
【発明が解決しようとする課題】
現在セットアップされているスピーカーとサラウンドアンプへ入力されるスピーカー対応入力信号、又はサラウンドアンプから出力されるスピーカー対応出力信号とが整合していないと、現在のスピーカーのセットアップ状況では実現できないサラウンドモードを呼び出したり、実現できるにもかかかわらず、所望のサラウンドモードを呼び出さなかったりすることが起きる。
【０００５】
従来のサラウンドオーディオ用スピーカーシステムでは、現在どのようなスピーカーがセットアップされているかをモニターに表示させるものはあるが、現在セットアップされているスピーカーとサラウンドアンプへ入力されるスピーカー対応入力信号、又はサラウンドアンプから出力されるスピーカー対応出力信号との整合関係をユーザへ有効に知らせるものはなく、前述したような不整合が頻繁に生じている。
【０００６】
この発明の目的は、上述の問題点を克服するサラウンドオーディオ用スピーカーシステムを提供することである。
【０００７】
【課題を解決するための手段】
この発明のサラウンドオーディオ用スピーカーシステムは次の（ａ）〜（ｃ）を有している。
（ａ）表示器（２４）
（ｂ）現在、セットアップされているスピーカー（１２，１３，１４，１６，１７）を表示器（２４）に表示させるセットアップスピーカー表示手段
（ｃ）オーディオソースからアンプへ入力される入力信号がどのスピーカー（１２，１３，１４，１６，１７）に対応するかをセットアップスピーカー表示手段による表示と一緒に表示器（２４）に表示させる入力信号表示手段
【０００８】
全体のスピーカー（１２，１３，１４，１６，１７）の個数が大きく、表示器（２４）の面積が限られているときは、セットアップスピーカー表示手段及び入力信号表示手段による表示器（２４）への表示は、セットアップされた全部のスピーカー（１２，１３，１４，１６，１７）、及び全部のスピーカー対応入力信号についてだけでなく、主要なスピーカー（１２，１３，１４，１６，１７）、及びそのスピーカー対応入力信号についてに限定してもよい。
【０００９】
こうして、現在、セットアップされているスピーカー（１２，１３，１４，１６，１７）とオーディオソースからアンプへどのスピーカー（１２，１３，１４，１６，１７）に対応する入力信号が入力されているかとが、表示器（２４）に一緒に表示されるので、ユーザは、現在、セットアップされているスピーカー（１２，１３，１４，１６，１７）とオーディオソースからアンプへ入力される入力信号との整合、不整合を直ちに認識することができ、適切な対処を行なうことができる。
【００１０】
この発明のサラウンドオーディオ用スピーカーシステムは次の（ａ）〜（ｃ）を有している。
（ａ）表示器（２４）
（ｂ）現在、セットアップされているスピーカー（１２，１３，１４，１６，１７）を表示器（２４）に表示させるセットアップスピーカー表示手段
（ｃ）アンプからスピーカー（１２，１３，１４，１６，１７）へ出力される出力信号がどのスピーカー（１２，１３，１４，１６，１７）に対応するかをセットアップスピーカー表示手段による表示と一緒に表示器（２４）に表示させる出力信号表示手段
【００１１】
全体のスピーカー（１２，１３，１４，１６，１７）の個数が大きく、表示器（２４）の面積が限られているときは、セットアップスピーカー表示手段及び入力信号表示手段による表示器（２４）への表示は、セットアップされた全部のスピーカー（１２，１３，１４，１６，１７）、及び全部のスピーカー対応出力信号についてだけでなく、主要なスピーカー（１２，１３，１４，１６，１７）、及びそのスピーカー対応出力信号についてに限定してもよい。
【００１２】
こうして、現在、セットアップされているスピーカー（１２，１３，１４，１６，１７）とアンプからスピーカー（１２，１３，１４，１６，１７）へどのスピーカー（１２，１３，１４，１６，１７）に対応する出力信号が出力されているかとが、表示器（２４）に一緒に表示されるので、ユーザは、現在、セットアップされているスピーカー（１２，１３，１４，１６，１７）とアンプからスピーカー（１２，１３，１４，１６，１７）へ出力される出力信号との整合、不整合を直ちに認識することができ、適切な対処を行なうことができる。
【００１３】
この発明のサラウンドオーディオ用スピーカーシステムは次の（ａ）〜（ｅ）を有している。
（ａ）表示器（２４）
（ｂ）現在、セットアップされているスピーカー（１２，１３，１４，１６，１７）を表示器（２４）に表示させるセットアップスピーカー表示手段
（ｃ）オーディオソースからアンプへ入力される入力信号がどのスピーカー（１２，１３，１４，１６，１７）に対応するかをセットアップスピーカー表示手段による表示と一緒に表示器（２４）に表示させる入力信号表示手段
（ｄ）アンプからスピーカー（１２，１３，１４，１６，１７）へ出力される出力信号がどのスピーカー（１２，１３，１４，１６，１７）に対応するかをセットアップスピーカー表示手段による表示と一緒に表示器（２４）に表示させる出力信号表示手段
（ｅ）入力信号表示手段による表示及び出力信号表示手段による表示を切替える表示切替手段
【００１４】
全体のスピーカー（１２，１３，１４，１６，１７）の個数が大きく、表示器（２４）の面積が限られているときは、セットアップスピーカー表示手段及び入力信号表示手段による表示器（２４）への表示は、セットアップされた全部のスピーカー（１２，１３，１４，１６，１７）、全部のスピーカー対応入力信号、及び全部のスピーカー対応出力信号についてだけでなく、主要なスピーカー（１２，１３，１４，１６，１７）、そのスピーカー対応入力信号、及びそのスピーカー対応出力信号についてに限定してもよい。
【００１５】
こうして、現在、セットアップされているスピーカー（１２，１３，１４，１６，１７）とオーディオソースからアンプへどのスピーカー（１２，１３，１４，１６，１７）に対応する入力信号が入力されているかとが、又は現在、セットアップされているスピーカー（１２，１３，１４，１６，１７）とアンプからスピーカー（１２，１３，１４，１６，１７）へどのスピーカー（１２，１３，１４，１６，１７）に対応する出力信号が出力されるかとが、表示器（２４）に一緒に表示されるので、ユーザは、現在、セットアップされているスピーカー（１２，１３，１４，１６，１７）とオーディオソースからアンプへ入力される入力信号との整合、不整合、又は現在、セットアップされているスピーカー（１２，１３，１４，１６，１７）とアンプからスピーカー（１２，１３，１４，１６，１７）へ出力される出力信号との整合、不整合を、直ちに認識することができ、適切な対処を行なうことができる。
【００１６】
この発明のサラウンドオーディオ用スピーカーシステムは、入力信号表示手段及び出力信号表示手段のいずれによる表示になっているかの信号表示モードを知らせる信号表示モード表示手段を有している。
【００１７】
ユーザは、表示器（２４）に表示されているスピーカー対応信号が、入力信号に係るものであるか、出力信号に係るものであるかを円滑に認識できる。
【００１８】
この発明のサラウンドオーディオ用スピーカーシステムによれば、セットアップスピーカー表示手段によるセットアップスピーカーの表示は、各スピーカー（１２，１３，１４，１６，１７）をブロック（２７，２８，２９，３０，３１）として部屋内の各スピーカー（１２，１３，１４，１６，１７）の実際の配置関係に従って配置した表示である。
【００１９】
部屋内の各スピーカー（１２，１３，１４，１６，１７）の実際の配置関係に従った配置とは、例えば表示器（２４）の上側には中央に前センタースピーカー（１２）、そして、その左右に前左スピーカー（１３）及び前右スピーカー（１４）を配置したものであり、表示器（２４）の下側には中央に対して左右に後ろ左スピーカー１６及び後ろ右スピーカー１７を配置したものである。こうして、ユーザは、現在、セットアップされているスピーカー（１２，１３，１４，１６，１７）が何であるかを直感的に迅速に認識できる。
【００２０】
この発明のサラウンドオーディオ用スピーカーシステムによれば、入力信号表示手段及び／又は出力信号表示手段によるスピーカー対応情報の表示は、表示器（２４）における対応スピーカー（１２，１３，１４，１６，１７）のブロック（２７，２８，２９，３０，３１）内に所定の文字又は記号を表示することにより行われる。
【００２１】
入力信号表示手段及び／又は出力信号表示手段によるスピーカー対応情報の表示は、対応するスピーカー（１２，１３，１４，１６，１７）のブロック（２７，２８，２９，３０，３１）内に位置する文字又は記号で表示されるので、ブロック（２７，２８，２９，３０，３１）がなくて文字又は記号のみが表示されているスピーカー（１２，１３，１４，１６，１７）は、そのサラウンドモードで聞くには、新たにセットアップが必要であること、あるいはそのサラウンドモードでは聞けないことを、ユーザは迅速に認識できる。また、ブロック（２７，２８，２９，３０，３１）があるにもかかわらず、その中に文字又は記号が表示されていない場合は、そのブロック（２７，２８，２９，３０，３１）に対応するスピーカー（１２，１３，１４，１６，１７）より音声出力がないことを示す。
【００２２】
【発明の実施の形態】
以下、発明の実施の形態について図面を参照して説明する。
図１はモニター１０におけるセットアップ作業画面を示している。セットアップ作業画面をモニター１０に呼び出すと、ユーザ位置１１を基準に前側（モニター１０の画面では上側）には、ユーザ位置１１の真ん前には前センタースピーカー１２が、及び前センタースピーカー１２の左右にはそれぞれ前左スピーカー１３及び前右スピーカー１４が、ブロックで表示される。また、ユーザ位置１１を基準に後ろ側（モニター１０の画面では下側）には、ユーザ位置１１の真後ろに対して左右に後ろ左スピーカー１６及び１７がブロックで表示される。また、サブウーファスピーカー１８が前右スピーカー１４の横に表示される。部屋内におけるサブウーファスピーカー１８の配置は、特に決まっていないので、モニター１０の画面内におけるユーザ位置１１に対するサブウーファスピーカー１８の相対図示位置は任意でよい。前左スピーカー１３及び前右スピーカー１４が、その他のスピーカーの正方形に対して、大きい長方形で表示されるのは前左スピーカー１３及び前右スピーカー１４とその他のスピーカーとの現実の相対大小関係を合わせたためである。サラウンドオーディオ用スピーカーシステムにおいて、前左スピーカー１３及び前右スピーカー１４は必須の装備であるのに対して、他のセットアップの装備はオプションであり、セットアップ作業画面では、前左スピーカー１３及び前右スピーカー１４以外のスピーカーについては、その近傍にＯＮ、ＯＦＦ選択が表示され、ユーザは、セットアップしているものについてはＯＮを選択し、セットアップとしていないものについてはＯＦＦを選択する。図１では、前センタースピーカー１２、後ろ左スピーカー１６、及び後ろ右スピーカー１７が、セットアップするものとして選択されている。前センタースピーカー１２、前左スピーカー１３、前右スピーカー１４、後ろ左スピーカー１６、後ろ右スピーカー１７、及びサブウーファスピーカー１８は、オーディオ信号としてはそれぞれ、Ｃ、Ｌ、Ｒ、ＬＳ、ＲＳ、ＳＵＢ＿ＷＯＯＦＥＲの各ｃｈ（チャネル）に対応する。なお、ＬＳ、ＲＳのＳはサラウンドを意味する。
【００２３】
図１では、各スピーカーについてＯＮ、ＯＦＦによりセットアップ、非セットアップを設定したが、ＹＥＳ、ＮＯによりセットアップ、非セットアップを設定してもよい。さらに、セットアップスピーカーを、大寸法及び小寸法のＬＡＲＧＥとＳＭＡＬＬに分け、ＬＡＲＧＥ、ＳＭＡＬＬ、ＯＦＦで大寸法、小寸法、及び非セットアップを設定することもできる。ＬＡＲＧＥのスピーカーでは、品質の高い低音を出力できる。ＳＭＡＬＬのスピーカーでは、アンプ内の所定の回路により小寸法スピーカー用の低音信号を生成して、出力する。
【００２４】
図２はセットアップスピーカー及びアンプ入出力信号を表示するフロントパネル表示器２４の説明図である。フロントパネル表示器２４は、ＦＬ管や液晶等から成り、例えば、サラウンドアンプのフロントパネルに装備される。外枠２５の中に枠Ａ２７、枠Ｂ２８、枠Ｃ２９、枠Ｄ３０、枠Ｅ３１が描画される。枠Ａ２７、枠Ｂ２８、枠Ｃ２９、枠Ｄ３０、枠Ｅ３１は、それぞれ前左スピーカー１３、前センタースピーカー１２、前右スピーカー１４、後ろ左スピーカー１６、後ろ右スピーカー１７に対応する。フロントパネル表示器２４における枠Ａ２７、枠Ｂ２８、枠Ｃ２９、枠Ｄ３０、枠Ｅ３１の相対位置関係、すなわちレイアウトは、部屋における前左スピーカー１３、前センタースピーカー１２、前右スピーカー１４、後ろ左スピーカー１６、及び後ろ右スピーカー１７の実際の相対位置関係、すなわちレイアウトにおおよそ対応させている。Ｌ、Ｃ、Ｒ、ＬＳ、ＲＳは、それぞれサラウンドアンプへの各スピーカー対応入力信号又はサラウンドアンプからの各スピーカー対応出力信号に対応し、それら信号の存在時では枠Ａ２７、枠Ｂ２８、枠Ｃ２９、枠Ｄ３０、枠Ｅ３１の内側中央に表示される。ＳＷは、前側の前左スピーカー１３、前センタースピーカー１２、及び前右スピーカー１４についてのステレオ出力、Ｓは後ろ側の後ろ左スピーカー１６、及び後ろ右スピーカー１７から非ステレオの、すなわち同じ音を出力するサラウンド出力、ＬＦＥ（Ｌｏｗ  Ｆｒｅｑｕｅｎｃｙ  Ｅｆｆｅｃｔｓ）は低域効果の入力信号を意味する。外枠２５は、出力信号表示の場合のみ表示され（図では外枠２５の表示時を実線で示す。図３〜図５）、入力信号表示の場合は消去される（図では、外枠２５の消去時を破線で示す。図６〜図８）。
【００２５】
入力信号表示と出力信号表示とは必ずしも同一ではない。例えば、ＰＲＯ＿ＬＯＧＩＣでは、前センタースピーカー１２の信号はアンプへ入力されていないが、アンプ内で、入力信号のＲ、Ｌに基づいて前センタースピーカー１２の出力信号（Ｃ）が作られ、前センタースピーカー１２へ出力される。入力信号表示及び出力信号表示は、ユーザの操作により切替えられるようにしてもよいし、ＤＯＬＢＹ＿ＤＩＧＩＴＡＬでは入力信号表示に、また、ＰＲＯ＿ＬＯＧＩＣ、３＿ＳＴＥＲＯ、及びＳＴＥＲＥＯでは出力信号表示に自動的に切替えられるようにしてもよい。また、このフロントパネル表示器２４は、面積が狭いので、サブウーファスピーカー１８に対応するブロックが省略されており、後述の説明から分かるように、サブウーファスピーカー１８がセットアップされているか否かを判別できない。フロントパネル表示器２４の面積が十分に大きければ、あるいは広面積のモニター１０上では、サブウーファスピーカー１８に対応するブロックもフロントパネル表示器２４内に表示して、ＳＷの表示位置をそのブロックの中とすることができる。
【００２６】
各サラウンドモードについて音の出ないスピーカーは次のとおりである。
ＰＲＯ＿ＬＯＧＩＣ：無し（ただし、前センタースピーカー１２より音の出ない”ファントム”というＰＲＯ＿ＬＯＧＩＣのモードがある。）
３＿ＳＴＥＲＯ    ：後ろ左スピーカー１６及び後ろ右スピーカー１７
ＳＴＥＲＥＯ      ：前センタースピーカー１２、後ろ左スピーカー１６、及び後ろ右スピーカー１７
【００２７】
図３は図２のフロントパネル表示器２４においてＳＴＥＲＥＯ時のセットアップスピーカー及びアンプ入出力信号の表示状態を示している。枠Ａ２７、枠Ｃ２９、枠Ｄ３０、及び枠Ｅ３１が表示され、これにより、前左スピーカー１３、前右スピーカー１４、後ろ左スピーカー１６、及び後ろ右スピーカー１７がセットアップされていることが分かる。また、外枠２５は表示されており（実線）、出力信号表示である。ＳＴＥＲＥＯであるので、Ｌ、Ｒ、ＳＷが表示される。Ｓ及び枠Ｄ３０、枠Ｅ３１の中のＬＳ、ＲＳの文字が欠落している。ユーザは、枠Ｄ３０及び枠Ｅ３１の後ろ左スピーカー１６及び後ろ右スピーカー１７が有効に使用されていないことをフロントパネル表示器２４の表示より知る。
【００２８】
図４は図２のフロントパネル表示器２４においてＰＲＯ＿ＬＯＧＩＣ時のセットアップスピーカー及びアンプ入出力信号の表示状態を示している。枠Ａ２７、枠Ｂ２８、枠Ｃ２９、枠Ｄ３０、及び枠Ｅ３１が表示され、これにより、前左スピーカー１３、前センタースピーカー１２、前右スピーカー１４、後ろ左スピーカー１６、及び後ろ右スピーカー１７がセットアップされていることが分かる。また、外枠２５は表示されており（実線）、出力信号表示である。ＰＲＯ＿ＬＯＧＩＣであるので、Ｌ、Ｃ、Ｒ、ＳＷ、Ｓが表示される。ユーザは、全部のスピーカーが有効に使用されていることをフロントパネル表示器２４の表示より知る。
【００２９】
図５は図２のフロントパネル表示器２４において３＿ＳＴＥＲＯ時のセットアップスピーカー及びアンプ入出力信号の表示状態を示している。枠Ａ２７、枠Ｂ２８、及び枠Ｃ２９が表示され、これにより、前左スピーカー１３、前センタースピーカー１２、及び前右スピーカー１４がセットアップされていることが分かる。また、外枠２５は表示されており（実線）、出力信号表示である。３＿ＳＴＥＲＯであるので、Ｌ、Ｃ、Ｒ、ＳＷが表示される。ユーザは、セットアップされている全部のスピーカーが有効に使用されていることをフロントパネル表示器２４の表示より知る。
【００３０】
図６は図２のフロントパネル表示器２４においてＤＯＬＢＹ＿ＤＩＧＩＴＡＬの入力信号５．１ｃｈの場合のセットアップスピーカー及びアンプ入出力信号の表示状態を示している。枠Ａ２７、枠Ｂ２８、枠Ｃ２９、枠Ｄ３０、及び枠Ｅ３１が表示され、これにより、前左スピーカー１３、前センタースピーカー１２、前右スピーカー１４、後ろ左スピーカー１６、及び後ろ右スピーカー１７がセットアップされていることが分かる。また、外枠２５は消去されており（破線）、入力信号表示である。ＤＯＬＢＹ＿ＤＩＧＩＴＡＬであるので、Ｌ、Ｃ、Ｒ、ＬＳ、ＲＳ、ＬＦＥが表示される。ユーザは、全部のスピーカーが有効に使用されていることをフロントパネル表示器２４の表示より知る。
【００３１】
図７は図２のフロントパネル表示器２４においてＤＯＬＢＹ＿ＤＩＧＩＴＡＬの入力信号２ｃｈの場合のセットアップスピーカー及びアンプ入出力信号の表示状態を示している。枠Ａ２７、枠Ｂ２８、枠Ｃ２９、枠Ｄ３０、及び枠Ｅ３１が表示され、これにより、前左スピーカー１３、前センタースピーカー１２、前右スピーカー１４、後ろ左スピーカー１６、及び後ろ右スピーカー１７がセットアップされていることが分かる。また、外枠２５は消去されており（破線）、入力信号表示である。入力信号が２ｃｈであるので、Ｌ、Ｒが表示される。ユーザは、前センタースピーカー１２、後ろ左スピーカー１６、後ろ右スピーカー１７に対応する音声入力信号がないことをフロントパネル表示器２４の表示より知る。
【００３２】
図８は図２のフロントパネル表示器２４においてＤＯＬＢＹ＿ＤＩＧＩＴＡＬの入力信号３ｃｈの場合のセットアップスピーカー及びアンプ入出力信号の表示状態を示している。枠Ａ２７、枠Ｂ２８、枠Ｃ２９、枠Ｄ３０、及び枠Ｅ３１が表示され、これにより、前左スピーカー１３、前センタースピーカー１２、前右スピーカー１４、後ろ左スピーカー１６、後ろ右スピーカー１７がセットアップされていることが分かる。また、外枠２５は消去されており（破線）、入力信号表示である。３＿ＳＴＥＲＯであるので、Ｌ、、Ｃ、Ｒが表示される。ユーザは、後ろ左スピーカー１６、後ろ右スピーカー１７に対応する入力信号がないことをフロントパネル表示器２４の表示より知る。
【００３３】
図３〜図８は、いずれも、セットアップスピーカーの方がスピーカー対応入力信号又はスピーカー対応出力信号の数より上回っている例であるが、下回る場合もある（後述の図１３）。
【００３４】
図９はフロントパネル表示器２４の外部に表示モードを表示するフロントパネル表示器２４の説明図である。フロントパネル表示器２４の上辺外側に、左からＳＥＴＵＰ、ＩＮＰＵＴ、ＯＵＴＰＵＴの文字表示部が存在し、フロントパネル表示器２４に表示中の表示モードに対応するものが点灯するようになっている。ユーザは、この表示モード切替ボタンを操作すると、操作ごとに、ＳＥＴＵＰ、ＩＮＰＵＴ、ＯＵＴＰＵＴがサイクリックに切替えられる。なお、ＩＮＰＵＴとＯＵＴＰＵＴとの切替は、ユーザによる操作とは別に、ＤＯＬＢＹ＿ＤＩＧＩＴＡＬでは入力信号表示、ＰＲＯ＿ＬＯＧＩＣ、３＿ＳＴＥＲＯ、及びＳＴＥＲＥＯでは出力信号表示に自動的に切替えられるようにしてもよい。フロントパネル表示器２４内の表示は、図２のものと、外枠２５が存在しないこと以外は、同一である。外枠２５の表示及び消去による出力信号表示及び入力信号表示の別が無くなって、代わりに、フロントパネル表示器２４の外のＩＮＰＵＴ、ＯＵＴＰＵＴの点灯により表示モードがユーザへ知らされる。
【００３５】
図１０は図９のフロントパネル表示器２４においてセットアップ中のフロントパネル表示器２４の表示状態を示している。前左スピーカー、前右スピーカー１４、後ろ左スピーカー１６、及び後ろ右スピーカー１７がセットアップされ、結果、枠Ａ２７、枠Ｃ２９、枠Ｄ３０、及び枠Ｅ３１が表示されている。また、セットアップされた各スピーカーに対して入力信号又は出力信号の信号名としてのＬ、Ｒ、ＬＳ、ＲＳが対応ブロック内に表示される。
【００３６】
図１１は図９のフロントパネル表示器２４においてＰＲＯ＿ＬＯＧＩＣ時のセットアップスピーカー及びアンプ入出力信号の表示状態を示している。枠Ａ２７、枠Ｂ２８、枠Ｃ２９、枠Ｄ３０、及び枠Ｅ３１が表示され、これにより、前左スピーカー１３、前センタースピーカー１２、前右スピーカー１４、後ろ左スピーカー１６、及び後ろ右スピーカー１７がセットアップされていることが分かる。また、ＯＵＴＰＵＴが点灯し、出力信号表示であることがユーザへ知らされる。ＰＲＯ＿ＬＯＧＩＣであるので、Ｌ、Ｃ、Ｒ、ＳＷ、Ｓが表示される。Ｓの表示は、後ろ左スピーカー１６、後ろ右スピーカー１７からステレオではない同一の音が出力されることを意味する。こうして、ユーザは、全部のスピーカーが有効に使用されていることをフロントパネル表示器２４の表示より知る。
【００３７】
図１２は図９のフロントパネル表示器２４においてＤＯＬＢＹ＿ＤＩＧＩＴＡＬの５．１ｃｈの場合のセットアップスピーカー及びアンプ入出力信号の第１の表示状態を示している。枠Ａ２７、枠Ｂ２８、枠Ｃ２９、枠Ｄ３０、及び枠Ｅ３１が表示され、これにより、前左スピーカー１３、前センタースピーカー１２、前右スピーカー１４、後ろ左スピーカー１６、及び後ろ右スピーカー１７がセットアップされていることが分かる。また、ＩＮＰＵＴが点灯し、入力信号表示であることがユーザへ知らされる。ＤＯＬＢＹ＿ＤＩＧＩＴＡＬであるので、Ｌ、Ｃ、Ｒ、ＬＳ、ＲＳ、ＳＷ、ＬＦＥが表示される。こうして、ユーザは、全部のスピーカーが有効に使用されていることをフロントパネル表示器２４の表示より知る。
【００３８】
図１３は図９のフロントパネル表示器２４においてＤＯＬＢＹ＿ＤＩＧＩＴＡＬの５．１ｃｈの場合のセットアップスピーカー及びアンプ入出力信号の第２の表示状態を示している。枠Ａ２７、枠Ｂ２８、及び枠Ｃ２９が表示され、これにより、前左スピーカー１３、前センタースピーカー１２、前右スピーカー１４がセットアップされていることが分かる。また、ＩＮＰＵＴが点灯し、入力信号表示であることがユーザへ知らされる。ＤＯＬＢＹ＿ＤＩＧＩＴＡＬの５．１ｃｈであるので、Ｌ、Ｃ、Ｒ、ＬＳ、ＲＳ、ＳＷ、ＬＦＥが表示される。ユーザは、ＤＯＬＢＹ＿ＤＩＧＩＴＡＬモードを正確な状態あるいは正規の状態で聞くためには、セットアップしたスピーカーが足らないことを知る。
【００３９】
図１４は図２のフロントパネル表示器２４についてのセットアップスピーカー及びアンプ入出力信号の表示制御ルーチンのフローチャートである。Ｓ４０では、枠Ａ２７、及び枠Ｃ２９を表示する。前左スピーカー１３、及び前右スピーカー１４のセットアップは、オプションではなく、必須であるからである。Ｓ４１では、前センタースピーカー１２がセットアップされているか否かを判定し、判定がＹＥＳであれば、Ｓ４２へ進んで、枠Ｂ２８を表示してから、Ｓ４２へ進み、ＮＯであれば、Ｓ４２をスキップして、Ｓ４３へ進む。Ｓ４３では、後ろ左スピーカー１６、及び後ろ右スピーカー１７がセットアップされているか否かを判定し、判定がＹＥＳであれば、Ｓ４４へ進んで、枠Ｄ３０、及び枠Ｅ３１を表示してから、Ｓ４８へ進み、ＮＯであれば、Ｓ４４をスキップして、Ｓ４８へ進む。Ｓ４８では、サラウンドモードがＤＯＬＢＹ＿ＤＩＧＩＴＡＬであるか否かを判定し、判定がＹＥＳであれば、Ｓ４９ヘ進み、ＮＯであれば、Ｓ５２へ進む。Ｓ４９では、フロントパネル表示器２４を入力信号表示にして、ＤＯＬＢＹ＿ＤＩＧＩＴＡＬの入力ｃｈに対応させてＬ、Ｃ、Ｒ、ＬＳ、ＲＳ、ＳＥ、及び／又はＬＦＥをフロントパネル表示器２４の所定位置に表示する表示制御を行う。Ｓ５２では、サラウンドモードがＰＲＯ＿ＬＯＧＩＣであるか否かを判定し、判定がＹＥＳであれば、Ｓ５３ヘ進み、ＮＯであれば、Ｓ５６へ進む。Ｓ５３では、フロントパネル表示器２４を出力信号表示にして、Ｌ、Ｃ、Ｒ、Ｓ、ＳＷをフロントパネル表示器２４の所定位置に表示する。Ｓ５６では、サラウンドモードが３＿ＳＴＥＲＯであるか否かを判定し、判定がＹＥＳであれば、Ｓ５７ヘ進み、ＮＯであれば、Ｓ６０へ進む。Ｓ５７では、フロントパネル表示器２４を出力信号表示にして、Ｌ、Ｃ、Ｒ、ＳＷをフロントパネル表示器２４の所定位置に表示する。Ｓ６０では、サラウンドモードがＳＴＥＲＥＯであるか否かを判定し、判定がＹＥＳであれば、Ｓ６１ヘ進み、ＮＯであれば、該ルーチンを終了する。Ｓ６１では、フロントパネル表示器２４を出力信号表示にして、Ｌ、Ｒ、ＳＷをフロントパネル表示器２４の所定位置に表示する。
【図面の簡単な説明】
【図１】モニターにおけるセットアップ作業画面を示す図である。
【図２】セットアップスピーカー及びアンプ入出力信号を表示するフロントパネル表示器の説明図である。
【図３】図２のフロントパネル表示器においてＳＴＥＲＥＯ時のセットアップスピーカー及びアンプ入出力信号の表示状態を示す図である。
【図４】図２のフロントパネル表示器においてＰＲＯ＿ＬＯＧＩＣ時のセットアップスピーカー及びアンプ入出力信号の表示状態を示す図である。
【図５】図２のフロントパネル表示器において３＿ＳＴＥＲＯ時のセットアップスピーカー及びアンプ入出力信号の表示状態を示す図である。
【図６】図２のフロントパネル表示器においてＤＯＬＢＹ＿ＤＩＧＩＴＡＬの入力信号５．１ｃｈの場合のセットアップスピーカー及びアンプ入出力信号の表示状態を示す図である。
【図７】図２のフロントパネル表示器においてＤＯＬＢＹ＿ＤＩＧＩＴＡＬの入力信号２ｃｈの場合のセットアップスピーカー及びアンプ入出力信号の表示状態を示す図である。
【図８】図２のフロントパネル表示器においてＤＯＬＢＹ＿ＤＩＧＩＴＡＬの入力信号３ｃｈの場合のセットアップスピーカー及びアンプ入出力信号の表示状態を示す図である。
【図９】フロントパネル表示器の外部に表示モードを表示するフロントパネル表示器の説明図である。
【図１０】図９のフロントパネル表示器においてセットアップ中のフロントパネル表示器の表示状態を示す図である。
【図１１】図９のフロントパネル表示器においてＰＲＯ＿ＬＯＧＩＣ時のセットアップスピーカー及びアンプ入出力信号の表示状態を示す図である。
【図１２】図９のフロントパネル表示器においてＤＯＬＢＹ＿ＤＩＧＩＴＡＬの５．１ｃｈの場合のセットアップスピーカー及びアンプ入出力信号の第１の表示状態を示す図である。
【図１３】図９のフロントパネル表示器においてＤＯＬＢＹ＿ＤＩＧＩＴＡＬの５．１ｃｈの場合のセットアップスピーカー及びアンプ入出力信号の第２の表示状態を示す図である。
【図１４】図２のフロントパネル表示器についてのセットアップスピーカー及びアンプ入出力信号の表示制御ルーチンのフローチャートである。
【符号の説明】
１２    前センタースピーカー
１３    前左スピーカー
１４    前右スピーカー
１６    後ろ左スピーカー
１７    後ろ右スピーカー
２４    フロントパネル表示器（表示器）
２７    枠Ａ
２８    枠Ｂ
２９    枠Ｃ
３０    枠Ｄ
３１    枠Ｅ
【図１】
0003590515.tif 000002
【図２】
0003590515.tif 000003
【図３】
0003590515.tif 000004
【図４】
0003590515.tif 000005
【図５】
0003590515.tif 000006
【図６】
0003590515.tif 000007
【図７】
0003590515.tif 000008
【図８】
0003590515.tif 000009
【図９】
0003590515.tif 000010
【図１０】
0003590515.tif 000011
【図１１】
0003590515.tif 000012
【図１２】
0003590515.tif 000013
【図１３】
0003590515.tif 000014
【図１４】
0003590515.tif 000015